(57)【特許請求の範囲】
【請求項１】
可撓性を有する無端状のベルトと、前記ベルトの外側で前記ベルトに対向する加圧部材と、前記ベルトの内側に設けられ、ステー部材によって互いに仕切られ、前記ベルトの長手方向中央範囲と長手方向両側部をそれぞれ加熱する第１、第２の輻射型熱源と、前記ベルトの内側に設けられ、前記ベルトと前記加圧部材との間に定着ニップを形成するニップ形成部材と、前記ニップ形成部材のそれぞれの端部に設けられ、前記ベルトの長手方向端部をそれぞれ加熱する複数の接触伝熱型熱源と、前記ニップ形成部材及び前記複数の接触伝熱型熱源の、前記ベルトに対向するそれぞれの面を覆い、前記ベルトの長手方向に熱を移動する熱移動補助部材と、を有する定着装置であって、前記輻射型熱源によって加熱される前記ベルトの領域の温度を検知する少なくとも１つの温度検知手段と、前記接触伝熱型熱源によって加熱される前記ベルトの領域の温度を検知する別の温度検知手段とを備えており、前記輻射型熱源と前記接触伝熱型熱源の定格電力の総和が定着装置に供給可能な最大電力よりも大きくなっていて、前記輻射型熱源と前記接触伝熱型熱源のそれぞれの最大点灯率を、前記輻射型熱源と前記接触伝熱型熱源へのそれぞれの投入電力の和が前記最大電力よりも大きくならないように、動作状態に応じて変更することを特徴とする定着装置。
【請求項２】
前記第２の輻射型熱源によって加熱される前記ベルトの領域の温度を検知する前記温度検知手段と前記接触伝熱型熱源によって加熱される前記ベルトの領域の温度を検知する前記別の温度検知手段のそれぞれの検知状態に応じて、前記接触伝熱型熱源の最大点灯率を変更することを特徴とする請求項１に記載の定着装置。
【請求項３】
前記接触伝熱型熱源の電力密度が前記第１、第２の輻射型熱源の電力密度よりも大きいことを特徴とする請求項１又は２に記載の定着装置。
【請求項４】
前記ニップ形成部材のそれぞれの端部に設けられた前記接触伝熱型熱源が、前記ベルトの一方の端部に設けられた前記別の温度検知手段の検知状態に応じて、制御されることを特徴とする請求項１に記載の定着装置。
【請求項５】
前記ニップ形成部材のそれぞれの端部に設けられた前記接触伝熱型熱源が、前記ベルトのそれぞれの端部に設けられた前記別の温度検知手段のそれぞれの検知状態に応じて、互いに独立して制御されることを特徴とする請求項１に記載の定着装置。
【請求項６】
請求項１〜５のいずれか一項に記載の定着装置を備える画像形成装置。
【発明の詳細な説明】
【技術分野】
【０００１】
本発明は、定着装置及び定着装置を備える画像形成装置に関する。
【背景技術】
【０００２】
複写機、プリンタ、ファクシミリ、又はそれらのうちの少なくとも２つの機能を有する複合機などの画像形成装置に対し、近年、省エネルギー化、高速化についての市場要求が強くなってきており、画像形成装置のなかでも定着装置は消費電力量が多く、省エネルギー化の余地が大きいため、様々な提案がなされている。
【０００３】
また、画像形成装置における画像形成では様々なサイズの記録材を対象とするが、トナーを用いた画像形成においても、使用頻度はごく少ないものの規格上の用紙サイズいっぱいで画像形成を行う場合もある。その際、用紙規格サイズよりも一回り大きな記録材が用いられ（例えばＡ３サイズよりも一回り大きなＡ３ノビサイズ）、あるいは１３インチサイズのものが使用される。そこで、これら特殊サイズの記録材に対応するために、更なる改善も望まれた。
【０００４】
そのような問題に対して、特許文献１では、無端状のベルトの内側に、ベルトの幅方向（用紙幅方向）で配光分布が異なる複数のハロゲンヒータを設けると共に、ベルト部材の長手方向両端部であって、ベルトの回転方向におけるニップの上流側の位置に、端部ヒータをベルトの内面又は外面に接して設けることが提案された。
【０００５】
しかしながら、特許文献１に開示された定着装置において、端部ヒータから定着ベルトへの伝熱効率を高めるため、定着ベルトに対する端部ヒータの接触圧を大きくすると、端部ヒータと定着ベルトとの間の摩擦力が大きくなる。これは定着ベルトの走行不良につながるおそれがあり、信頼性の低下となる。一方、定着ベルトの走行不良を避けるため、定着ベルトに対する端部ヒータの接触圧を小さくすると、定着ベルトへの伝熱不足となる。これは端部ヒータの過昇温につながるおそれがあり、信頼性の低下となる。
【０００６】
そこで本出願人は、定着に用いる複数の輻射型熱源の加熱効率を向上すると共に、Ａ３ノビなどの特殊サイズの記録材にも信頼性と品質を損なわずに対応できる定着装置を考案し、まだ公開されていないが提案した。即ち、可撓性を有する無端状のベルトの内側に設けられ、長手方向に異なる配光分布を有し、ステー部材によって仕切られた複数の輻射型熱源と、前記ベルトの内側に設けられたニップ形成部材のそれぞれの端部に設けられ、前記ベルトの長手方向端部をそれぞれ加熱する複数の接触伝熱型熱源と、前記ニップ形成部材及び前記複数の接触伝熱型熱源の、前記ベルトに対向するそれぞれの面を覆い、前記ベルトの長手方向に熱を移動する熱移動補助部材とを有する、定着装置である。
【発明の概要】
【発明が解決しようとする課題】
【０００７】
本発明は、定着に用いる複数の輻射型熱源の加熱効率を向上すると共に、Ａ３ノビなどの特殊サイズの記録材にも信頼性と品質を損なわずに対応できる定着装置において、各熱源の定格電力の和が定着装置に供給可能な最大電力よりも大きい場合に、許容される消費電力の範囲内で必要な熱源に優先的に電力を使って、温度落ち込みなどによる定着不良を防止することを課題とする。
【課題を解決するための手段】
【０００８】
前記課題は、可撓性を有する無端状のベルトと、前記ベルトの外側で前記ベルトに対向する加圧部材と、前記ベルトの内側に設けられ、ステー部材によって互いに仕切られ、前記ベルトの長手方向中央範囲と長手方向両側部をそれぞれ加熱する第１、第２の輻射型熱源と、前記ベルトの内側に設けられ、前記ベルトと前記加圧部材との間に定着ニップを形成するニップ形成部材と、前記ニップ形成部材のそれぞれの端部に設けられ、前記ベルトの長手方向端部をそれぞれ加熱する複数の接触伝熱型熱源と、前記ニップ形成部材及び前記複数の接触伝熱型熱源の、前記ベルトに対向するそれぞれの面を覆い、前記ベルトの長手方向に熱を移動する熱移動補助部材と、を有する定着装置であって、前記輻射型熱源によって加熱される前記ベルトの領域の温度を検知する少なくとも１つの温度検知手段と、前記接触伝熱型熱源によって加熱される前記ベルトの領域の温度を検知する別の温度検知手段とを備えており、前記輻射型熱源と前記接触伝熱型熱源の定格電力の総和が定着装置に供給可能な最大電力よりも大きくて、前記輻射型熱源と前記接触伝熱型熱源のそれぞれの最大点灯率を、前記輻射型熱源と前記接触伝熱型熱源へのそれぞれの投入電力の和が前記最大電力よりも大きくならないように、動作状態に応じて変更することによって解決される。
【発明の効果】
【０００９】
本発明の定着装置は、ステー部材により複数の輻射型熱源を相互に仕切ることで熱干渉を防止して加熱効率を向上でき、ニップ形成部材のそれぞれの端部に、ベルトの長手方向端部を加熱する複数の接触伝熱型熱源を備えるので、特殊サイズの記録材にも信頼性と品質を損なわずに対応できるだけでなく、輻射型熱源と接触伝熱型熱源の定格電力の総和が定着装置に供給可能な最大電力よりも大きく設定されている場合に、前記輻射型熱源と前記接触伝熱型熱源のそれぞれの最大点灯率を、輻射型熱源と接触伝熱型熱源へのそれぞれの投入電力の和が前記最大電力よりも大きくならないように、動作状態に応じて変更するので、許容される消費電力の範囲内で必要な熱源に優先的に電力を使って、温度落ち込みなどによる定着不良を防止できる。
【図面の簡単な説明】
【００１０】
【図１】本発明の一実施形態に係る画像形成装置を示す模式図である。
【図２】定着装置の一実施形態を示す概略的な断面構成図である。
【図３】ニップ形成ユニットの基本構成を示す斜視図である。
【図４】ハロゲンヒータ及び端部ヒータの発熱部の配置を示す模式図である。
【図５】ハロゲンヒータ及び端部ヒータの各発熱部の位置関係を示す模式図である。
【図６】端部ヒータのために設けられる温度検知部の位置を説明する図である。
【図７】本実施形態でのヒータ構成における経時的な温度上昇を説明するグラフである。
【図８】本実施形態でのヒータ構成におけるリロード前後の各ヒータの点灯率と温度変化を示す図で、８ａは印刷対象がＡ３超サイズのもの、８ｂは印刷対象がＡ３以下のものの場合である。
【図９】本実施形態でのヒータ構成における前ジョブに応じてＡ３超サイズ印刷時に変更する各ヒータの点灯率と温度変化を示す図で、９ａは前ジョブの印刷対象が小サイズのもの、９ｂは前ジョブの印刷対象が大サイズのものの場合である。
【発明を実施するための形態】
【００１１】
以下、添付の図面に基づき、本発明の実施の形態について説明する。
図１は、本発明の一実施形態に係る画像形成装置を示す模式図である。この画像形成装置１は、カラーレーザープリンタであり、そのプリンタ本体の中央には、中間転写ベルト３０の展張方向に沿って４つの作像部４Ｙ、４Ｃ、４Ｍ、４Ｋが並置して設けられている。各作像部４Ｙ、４Ｃ、４Ｍ、４Ｋは、カラー画像の色分解成分に対応するイエロー（Ｙ）、シアン（Ｃ）、マゼンタ（Ｍ）、ブラック（Ｋ）の各色の現像剤を収容する以外は、同じ構成である。
【００１２】
具体的に、それぞれ画像ステーションを構成する各作像部４Ｙ、４Ｃ、４Ｍ、４Ｋは、潜像担持体としてのドラム状の感光体５と、感光体５の表面を帯電させる帯電装置６と、感光体５の表面にトナーを供給する現像装置７と、感光体５の表面をクリーニングするクリーニング装置８などを備えている。なお、図１では、ブラックの作像部４Ｋが備える感光体５、帯電装置６、現像装置７、クリーニング装置８のみを参照符号で指し示し、その他の作像部４Ｙ、４Ｃ、４Ｍにおいては符号を省略している。
【００１３】
作像部４Ｙ、４Ｃ、４Ｍ、４Ｋの下方には、感光体５の表面を露光する露光装置９が配設されている。露光装置９は、光源、ポリゴンミラー、ｆ−θレンズ、反射ミラーなどを有し、画像データに基づいて各感光体５の表面へレーザー光を照射するようになっている。
【００１４】
作像部４Ｙ、４Ｃ、４Ｍ、４Ｋの上方には、転写装置３が配設されている。転写装置３は、転写体としての中間転写ベルト３０と、一次転写手段としての４つの一次転写ローラ３１と、二次転写手段としての二次転写ローラ３６とを備える。更に、転写装置３は中間転写ベルト３０を張架する二次転写バックアップローラ３２、クリーニングバックアップローラ３３及びテンションローラ３４や、ベルトクリーニング装置３５を備えている。中間転写ベルト３０は、二次転写バックアップローラ３２が回転駆動することによって、図の矢印で示す方向に周回走行（回転）するようになっている。ベルトクリーニング装置３５は、中間転写ベルト３０に当接するように配設されたクリーニングブラシとクリーニングブレードを有する。
【００１５】
４つの一次転写ローラ３１は、それぞれ、各感光体５との間で中間転写ベルト３０を挟み込んで一次転写ニップを形成している。また、各一次転写ローラ３１には、プリンタ本体の電源が接続されており、所定の直流電圧（ＤＣ）及び／又は交流電圧（ＡＣ）が各一次転写ローラ３１に印加されるようになっている。
【００１６】
二次転写ローラ３６は、二次転写バックアップローラ３２との間で中間転写ベルト３０を挟み込んで二次転写ニップを形成している。また、一次転写ローラ３１と同様に、二次転写ローラ３６にもプリンタ本体の電源が接続されており、所定の直流電圧（ＤＣ）及び／又は交流電圧（ＡＣ）が二次転写ローラ３６に印加されるようになっている。
【００１７】
プリンタ本体の上部には、ボトル収容部２が設けられており、ボトル収容部２には補給用のトナーを収容した４つのトナーボトル２Ｙ、２Ｃ、２Ｍ、２Ｋが着脱可能に装着されている。各トナーボトル２Ｙ、２Ｃ、２Ｍ、２Ｋと各現像装置７との間には、周知のように補給路が設けられ、この補給路を介して各トナーボトル２Ｙ、２Ｃ、２Ｍ、２Ｋから各現像装置７へトナーが補給されるようになっている。
【００１８】
一方、プリンタ本体の下部には、記録材としての用紙Ｐを収容した給紙トレイ１０や、給紙トレイ１０から用紙Ｐを搬出する給紙ローラ１１などが設けられている。ここで、記録材には、普通紙以外に、厚紙、はがき、封筒、薄紙、塗工紙（コート紙やアート紙など）、トレーシングペーパ、ＯＨＰシートなどが含まれる。また、周知のように、手差し給紙機構が設けられていてもよい。
【００１９】
プリンタ本体内には、用紙Ｐを給紙トレイ１０から二次転写ニップを通過させて装置外へ排出するための搬送路Ｒが配設されている。搬送路Ｒにおいて、二次転写ローラ３６の位置よりも用紙搬送方向上流側には、二次転写ニップへ用紙Ｐを搬送する搬送手段としての一対のレジストローラ１２が配設されている。また、二次転写ローラ３６の位置よりも用紙搬送方向下流側には、用紙Ｐに転写された未定着画像を定着するための定着装置２０が配設されている。更に、定着装置２０よりも搬送路Ｒの用紙搬送方向下流側には、用紙を装置外へ排出するための一対の排紙ローラ１３が設けられている。そして、プリンタ本体の上面部には、装置外に排出された用紙をストックするための排紙トレイ１４が設けられている。
【００２０】
なお、本実施形態に係るプリンタの基本的動作は従来からよく知られており、当業者であれば、上記した基本的な構成の説明によって直ちに理解できるものであるので、説明を省略する。
【００２１】
図２は、定着装置２０の一実施形態を示す概略的な断面構成図である。定着装置２０は、薄肉で可撓性を有する筒状体を形成する無端状のベルトである定着ベルト２１と、この定着ベルト２１の外周側から当接する加圧部材である加圧ローラ２２とを有している。定着ベルト２１は、その内側（ループ内）に配された複数の定着熱源としてのハロゲンヒータ２３Ａ、２３Ｂ（以下、第１ハロゲンヒータ２３Ａ、第２ハロゲンヒータ２３Ｂともいう）の輻射熱によって加熱される。なお、ハロゲンヒータは、主たる熱源である定着熱源としての、輻射型熱源を代表するものである。
【００２２】
更に定着ベルト２１の内側には、定着ベルト２１を介して加圧ローラ２２とで定着ニップＮを形成するニップ形成部材２４と、ニップ形成部材２４を支持するステー部材２５（支持部材）とが配されている。定着ベルト２１の幅方向に渡って配されたニップ形成部材２４が、ステー部材２５によって固定支持されることで、加圧ローラ２２からの圧力によってニップ形成部材２４に撓みが生じることを防止し、加圧ローラ２２の軸方向（長手方向）に渡って均一なニップ幅が得られるようになっている。なお、ニップ形成部材２４は、機械的強度が高く耐熱温度２００℃以上の耐熱性部材、特に耐熱性樹脂、例えばポリイミド（ＰＩ）樹脂、ポリエーテルエーテルケトン（ＰＥＥＫ）樹脂、それらをガラス繊維で強化したもので構成されている。これにより、トナー定着温度域で、熱によるニップ形成部材２４の変形を防止し、安定した定着ニップの状態を確保し、出力画質の安定化を図っている。また、ステー部材２５やハロゲンヒータ２３Ａ、２３Ｂは、その長手方向両端を、定着装置２０の側板あるいは別途設けられたホルダに固定保持されている。ニップ形成部材２４の長手方向両端部には、主たる熱源（定着熱源）とは別の端部熱源としての端部ヒータ２６ａ、２６ｂが一体に取り付けられている。端部ヒータとしては、一般的に、セラミックセータのような抵抗発熱体である接触伝熱型熱源が用いられる。
【００２３】
定着ベルトの長手方向における熱移動を容易にする均熱部材とも称される熱移動補助部材２７が、ニップ形成部材２４と端部ヒータ２６それぞれの定着ベルト２１の内周面に対向する各面を覆うように配されており、小サイズ紙通紙時や端部ヒータ２６点灯時に定着ベルト２１の端部領域に熱が留まることを防止して、積極的に定着ベルト２１の幅方向、即ち、熱移動補助部材２７の長手方向に熱を移動させて、長手方向の温度不均一を解消させる。そのため、熱移動補助部材２７は短時間で熱移動が可能となる熱伝導率の高い材料、例えば銅（３９８Ｗ／ｍｋ）やアルミニウム（２３６Ｗ／ｍｋ）などで形成されている。図２の描写では、熱移動補助部材２７の定着ベルト２１の内周面に対向する面が定着ベルト２１に直接接触する面であり、ニップ形成面となっており、平坦状に形成されているが、凹形状やその他の形状であってもよい。凹形状のニップ形成面であると、用紙先端の排出方向が加圧ローラ寄りになり、分離性が向上してジャムの発生が抑制される。
【００２４】
周知のように、定着ベルト２１の外周側の適切な位置、例えば定着ニップのベルト回転方向上流側には、ハロゲンヒータ２３Ａ、２３Ｂによって加熱されるベルトのそれぞれの領域の温度を検知する温度検出手段たる温度センサ２９（本例の場合にはハロゲンヒータ２３Ａ、２３Ｂ配光分布に合わせて２個）が設けられており、定着装置２０の用紙搬送方向下流側には、定着ベルト２１から用紙Ｐを分離する分離部材４１が配されている。更に、加圧ローラ２２を定着ベルト２１へ加圧する解除可能な加圧手段も設けられている。
【００２５】
低熱容量化を図るため、フィルムのように薄肉で小径化した無端状の定着ベルト２１は、ニッケルやＳＵＳなどの金属材料やポリイミドなどの樹脂材料で形成された内周側の基材と、ＰＦＡ（テトラフルオロエチレン・パーフルオロアルキルビニルエーテル共重合体）やＰＴＦＥ（ポリテトラフルオロエチレン）などで形成された外周側の離型層によって構成されている。基材と離型層の間に、シリコーンゴム、発泡性シリコーンゴム、あるいはフッ素ゴムなどのゴム材料で形成された弾性層を介在させてもよい。この弾性層の厚さを１００μｍ程度にすれば、未定着トナーを押し潰して定着させるときに弾性層の弾性変形により、ベルト表面の微小な凹凸を吸収でき、光沢ムラの発生を回避できる。低熱容量化の観点から、定着ベルト２１は、全体として厚さ１ｍｍ以下に、直径２０〜４０ｍｍに設定されている。そして、定着ベルト２１を構成する基材、弾性層、離型層のそれぞれの厚さは、２０〜５０μｍ、１００〜３００μｍ、１０〜５０μｍの範囲に設定されている。更に低熱容量化を図るためには、望ましくは、定着ベルト２１全体の厚さを０．２ｍｍ以下にするのがよく、更に望ましくは、０．１６ｍｍ以下の厚さとするのがよく、直径は３０ｍｍ以下とするのが望ましい。
【００２６】
断面Ｔ字状のステー部材２５は定着ニップＮ側と反対側が起立した起立部２５ａを有しており、主たる熱源としてのハロゲンヒータ２３Ａ、２３Ｂが起立部２５ａによって隔てられるように配置されている。ハロゲンヒータ２３Ａ、２３Ｂは、一方が小サイズ紙に対応した長手方向中央部に発熱部を有するものであり、他方が大サイズ紙に対応して長手方向両側部に発熱部を有するものである。ハロゲンヒータ２３Ａ、２３Ｂは、プリンタ本体に設けられた電源部により出力制御されて発熱するように構成されており、その出力制御は、定着ベルト２１の外周に設けられた温度センサ２９によるベルト表面のそれぞれの領域での温度検知結果（検知状態）に基づいて行われる。このようなヒータの出力制御によって、定着ベルト２１の温度（定着温度）を所望の温度に設定できるようになっている。
【００２７】
また、ステー部材２５とハロゲンヒータ２３Ａ、２３Ｂの間には反射部材２８Ａ、２８Ｂが配されている。これにより、ハロゲンヒータ２３Ａ、２３Ｂの定着ベルト２１に対する加熱効率を上げると共に、ハロゲンヒータ２３Ａ、２３Ｂからの輻射熱によりステー部材２５が加熱されることによる無駄なエネルギー消費を抑制できる。反射部材２８Ａ、２８Ｂを備える代わりに、ステー部材２５表面に断熱若しくは鏡面処理を行っても同様の効果を得ることができる。
【００２８】
加圧ローラ２２は、芯金と、芯金の表面に設けられた発泡性シリコーンゴムやフッ素ゴムなどから成る弾性層と、弾性層の表面に設けられたＰＦＡやＰＴＦＥなどから成る離型層によって構成されている。バネなどの加圧手段により加圧ローラ２２が定着ベルト２１に押し付けられ定着ベルト２１と圧接する箇所では、加圧ローラ２２の弾性層が押し潰されることで、所定幅の定着ニップＮが形成される。加圧ローラ２２は、プリンタ本体に設けられたモータなどの駆動源によって回転駆動する。加圧ローラ２２が回転駆動すると、その駆動力が定着ニップＮで定着ベルト２１に伝達され、定着ベルト２１が従動回転する。定着ベルト２１は定着ニップＮで挟み込まれて回転し、定着ニップＮ以外では両端部に配された側板フランジにガイドされ、走行する。
【００２９】
本実施形態では、加圧ローラ２２を中実のローラとしているが、中空のローラであってもよい。その場合、加圧ローラ２２の内部にハロゲンヒータなどの熱源を配設してもよい。弾性層はソリッドゴムでもよいが、加圧ローラの内部に熱源が無い場合は、スポンジゴムを用いてもよい。スポンジゴムの方が、断熱性が高まり定着ベルト２１の熱が奪われにくくなるのでより望ましい。
【００３０】
図３は、ニップ形成ユニットの基本構成を示す斜視図である。図３に示すように、ニップ形成ユニットは、ニップ形成部材２４、ステー部材２５、熱移動補助部材２７、端部ヒータ２６ａ、２６ｂによって構成される。ニップ形成ユニットでは、ニップ形成部材２４の、定着ニップＮ側と反対側の面が、ステー部材２５の定着ニップＮ側の平面と一体化される。この際、それぞれの面にボスとピンのような凹凸形状を形成させて、これらを形状拘束的に嵌め合わせるようにしてもよい。熱移動補助部材２７は略直方体状のニップ形成部材２４の、定着ベルト２１の内周面に対向する面を覆うように嵌め合わされて一体化される。熱移動補助部材２７とニップ形成部材２４の一体構成は爪などを設けて噛み合わせればよいが、接着などを用いてもよい。ニップ形成部材２４の長手方向の両端部には、段差部としての凹部２４ａ、２４ｂが形成され、これらの箇所には端部ヒータ２６ａ、２６ｂが収容され、固定されている。これら端部ヒータ２６ａ、２６ｂとハロゲンヒータ２３Ａ、２３Ｂの位置関係については、後述する。
【００３１】
熱移動補助部材２７の定着ベルト２１の内周面に対向する面はベルト摺接面２７ａとして構成されるが、機械的強度上、実質的にニップ形成面となるのはニップ形成部材２４の加圧ローラ２２に対向する面２４ｃである。
【００３２】
このように、本実施形態では、端部ヒータ２６ａ、２６ｂを、定着ニップを形成するために必要なニップ形成部材２４に一体に設ける構成としたので、端部ヒータ２６ａ、２６ｂを定着ベルト２１の内側に省スペースで配置できる。
【００３３】
また、端部ヒータ２６ａ、２６ｂの定着ベルト２１の内面に対向する面と、ニップ形成部材２４の定着ベルト２１に対向する面とは同一高さ（同一平面上）に位置するので、加圧ローラによる十分な加圧力が熱移動補助部材２７を介して与えられる。これにより、定着ベルト２１は、端部ヒータ２６ａ、２６ｂと間接的に密着した状態であるので、安定したベルト走行ができる。また、定着ベルト２１と端部ヒータ２６ａ、２６ｂは、十分な接触圧で接しており、良好な加熱が維持される。これらの構成より、定着装置２０の信頼性が向上する。更に、端部ヒータ２６ａ、２６ｂによる定着ベルト２１の加熱部位は、ニップ領域内ある。そのため、定着ニップＮとは異なる部位で加熱することによる未転写トナーの再溶融の問題（品質低下）を生じない。
【００３４】
次に、Ａ３ノビなどの特殊サイズの記録材に対応できる熱源の配置構成について説明する。図４は、ハロゲンヒータ及び端部ヒータの発熱部の配置を示す模式図である。図４に示すように、長手方向における中央部の配光分布が密である第１ハロゲンヒータ２３Ａと、長手方向における両側部の配光分布が密である第２ハロゲンヒータ２３Ｂが、配置されている。すなわち、第１ハロゲンヒータ２３Ａは、定着ベルト２１の中央範囲を加熱し、第２ハロゲンヒータ２３Ｂは、定着ベルト２１の側部範囲を加熱する。
【００３５】
第１ハロゲンヒータ２３Ａの発熱部４０Ａは、例えばＡ４タテサイズなどの小サイズの記録材に対応し、第２ハロゲンヒータ２３Ｂの発熱部４０Ｂは、第１ハロゲンヒータ２３ＡでカバーできないＡ３タテサイズなどの使用可能な最大定形サイズの記録材の側部範囲をカバーする。すなわち、両ハロゲンヒータの発熱部４０Ａ、４０Ｂからなる発熱部４０は、最大定形サイズの紙幅に対応し、最大定形サイズより大きいノビサイズの紙幅をカバーしていない。
【００３６】
一方、端部ヒータ２６ａ、２６ｂは、第２ハロゲンヒータ２３Ｂの長手方向両端部に対応する位置にあり、最大定形サイズより大きいノビサイズ紙幅の両端部を加熱する発熱部４２ａ、４２ｂを有する。また、端部ヒータ２６ａ、２６ｂの発熱部４２ａ、４２ｂの一部は、ハロゲンヒータ２３Ｂの発熱部４０Ｂと重なる。これにより、定着装置２０は、最大定形サイズより大きいノビサイズ紙幅の両端にも対応できる。なお、端部ヒータ２６ａ、２６ｂの電力密度は第１ハロゲンヒータ２３Ａや第２ハロゲンヒータ２３Ｂの電力密度よりも大きくすることができる。
【００３７】
ここで、ハロゲンヒータ及び端部ヒータの実際に出力する熱量（加熱出力）について説明する。図５は、第２ハロゲンヒータ２３Ｂ及び端部ヒータ２６ｂの各発熱部の位置関係と各ヒータの加熱出力の様子を示す模式図である。図５の上部は、第２ハロゲンヒータ２３Ｂの発熱部の右側端部の状態を、図５の下部は、端部ヒータ２６ｂの発熱部の左側の状態を示している。
【００３８】
一般に、ハロゲンヒータは、発熱部（フィラメントを螺旋状に巻いた部分）の長手方向端部において加熱出力が低下する。これは、フィラメントの巻き密度によっても変わり、巻く密度が疎であるとより低下しやすい。図５の上部に示すように、第２ハロゲンヒータ２３Ｂの発熱部４０Ｂは、所定の加熱出力を１００（％）出力する部分から、熱量のダレが生じて加熱出力が５０％になる部分までと定義するのが一般的である。
【００３９】
また、端部ヒータ２６ｂも、図５の下部に示すように、発熱部４２ｂ（発熱パターン３７が設けられた部分）の長手方向端部において加熱出力が低下する。すわなち、端部において所定の加熱出力に対して１００％の出力がされず、加熱出力のダレが生じる。
【００４０】
このため、第２ハロゲンヒータ２３Ｂ及び端部ヒータ２６ｂの端部で加熱出力の落ち込み（ダレ）が生じると、特に最大定形サイズよりも大きいノビサイズの記録材の端部で、良好な定着が行われないおそれがある。
【００４１】
そこで本実施形態では、図５に示すように、第２ハロゲンヒータ２３Ｂの発熱部４０Ｂにおける加熱出力が低減し始める境界Ｂｈと、端部ヒータ２６ｂの発熱部４２ｂにおける加熱出力が低減し始める境界Ｂｃとを合致させている。実際の装置では、第２ハロゲンヒータ２３Ｂと端部ヒータ２６ｂは、空間上離れて配置されているので、投影する状態で、長手方向において互いの境界Ｂｈ、Ｂｃが合致することである。なお、もう一方の端部ヒータ２６ａも同様である。
【００４２】
これにより、ハロゲンヒータ２３Ｂと両端部ヒータ２６ａ、２６ｂの重なる領域において、加熱出力が低下せず、所定の加熱出力の１００％を維持できる。したがって、特に最大定形サイズよりも大きいノビサイズの記録材の両端部においても、良好な定着が保証できる。
【００４３】
このように本実施形態では、第２ハロゲンヒータ２３Ｂの境界Ｂｈと、端部ヒータ２６ｂの境界Ｂｃが合致することとしている。しかし、上述したように、ニップ形成ユニットは熱伝導率のよい熱移動補助部材２７を有するので、ある程度の加熱出力の落ち込みを均すことができる。そのため、両端部ヒータ２６ａ、２６ｂの加熱出力が低減し始める境界の配置に所定の許容範囲を設けてもよい。
【００４４】
次に、端部ヒータ２６の温度を検知する、図２で示した温度センサ２９とは別の温度検知手段について説明する。定着ベルト２１の温度検知に接触方式のセンサ（例えば、サーミスタなど）を用いることは、安価で高精度という利点があるが、接触位置に微細な摺接跡が発生したり、対応する位置の画像に微小な光沢ムラなどが発生したりするおそれがある。そのため、特にカラー画像出力機においては、定型サイズの紙幅内には接触式センサを用いないことが主流になっている。しかし、ノビサイズの記録材では、ノビ部は、最大定形サイズの紙端部直前まで作像する場合の耳部や、印刷位置合わせに使われるトンボと呼ばれる線画像、又は色確認のための小面積のベタパッチが作像される部分として使われ、最終的には切断されることが多いため、接触式の温度検知手段によって接触跡が発生したとしても、微小な光沢ムラなどは異常画像として顕在化しないといえる。そこで、本実施形態では、図６に示すように、端部ヒータ２６ａ、２６ｂの温度を検知する温度検知手段４５ａ、４５ｂ（４５ａは反対側端部に設けられるので、描写を省略する）として、接触式サーミスタを、定着ベルト２１の外側であって、かつ、定着ベルト２１の長手方向において、最大定形サイズの紙幅より外側で、最大定形サイズよりも大きいノビサイズの紙幅より内側に設ける。これにより、微小な光沢ムラなどの異常画像を顕在化することなく、安価で精度良く温度検知できる。これら温度検知手段４５ａ、４５ｂはそれぞれ、端部ヒータ２６ａ、２６ｂの各々の温度を検知し、それぞれの検知状態に応じて、端部ヒータ２６ａ、２６ｂは互いに道立して制御される。端部ヒータ２６ａ、２６ｂそれぞれに温度検知手段を設けず、定着ベルト２１の一方の端部だけに温度検知手段を設けて、その検知状態に応じて、両方の端部ヒータ２６ａ、２６ｂを制御するようにしてもよい。
【００４５】
以上のような実施形態の構成において、端部ヒータ２６は熱移動補助部材２７を介して定着ベルト２１を加熱するため、図７に示すように、直接輻射熱で定着ベルト２１を加熱するハロゲンヒータ２３Ａ、２３Ｂと比べて、ベルト温度を上げるのに時間がかかる。そのため、Ａ３ノビ部のベルト領域は、第２ハロゲンヒータ２３Ｂから定着ベルト２１、熱移動補助部材２７を経た熱移動が幾らかあるにせよ、端部ヒータ２６による加熱が遅く、定着可能な温度に到達するまでに時間がかかる。Ａ３ノビ部のベルト領域の昇温速度を速めるために、端部ヒータ２６の定格電力を大きくすることは可能である。しかしながら、定着装置２０、あるいは画像形成装置１で使用可能な電力（供給可能な最大電力）は限られており、端部ヒータ２６の定格電力を大きくするだけでは第１ハロゲンヒータ２３Ａ、第２ハロゲンヒータ２３Ｂの定格電力を下げる必要が生じ、使用頻度の圧倒的に小さなノビサイズの用紙のために、ウォームアップ時間の低下をもたらしてしまう。
【００４６】
そこで端部ヒータ２６の定格電力を大きくしながら、この端部ヒータ２６や主たる定着熱源であるハロゲンヒータ２３Ａ、２３Ｂの電力を制御することによって、ウォームアップ時間の低下を防止する。
【００４７】
表１に、各ヒータの定格電力と、各動作状態における最大点灯率、及び、そのときの最大電力を示す。動作状態である「リロード前」、「リロード後」とは、電源投入時など、常温状態から印刷可能な所定温度（リロード温度：一般に主たる熱源によって加熱されるベルト領域で認識される温度）に到達する前後のことである。リロード後印刷準備を経て、動作状態としての印刷動作／印字動作を行い、定着装置で画像を用紙に定着させる。
【００４８】
【表１】
0006673033.tif 000002
【００４９】
表１に示すように各ヒータの定格電力の総和は、定着装置２０において使用可能な最大電力である１３００Ｗを２００Ｗ超えた１５００Ｗとなっており、各ヒータを常温状態からリロード温度まで最大点灯率１００％で加熱することはできない。そこで、リロード温度に到達するまでは、端部ヒータ２６の最大点灯率を制限し、投入電力、したがって電力使用量を抑える。この間、定着ベルト２１の長手方向中央範囲を加熱する第１ハロゲンヒータ２３Ａ、長手方向両側部を加熱する第２ハロゲンヒータ２３Ｂはフル点灯でき（最大点灯率１００％）、リロード温度まで素早くベルト温度を引き上げることができる。なお、このとき端部ヒータ２６を点灯しないと、第２ハロゲンヒータ２３Ｂが加熱しているベルト領域から、端部ヒータ２６に対応する非加熱領域に熱が移動し、第２ハロゲンヒータ２３Ｂに対応するベルト領域の温度上昇が遅くなる。そこで、各ヒータの投入電力の和が使用可能な最大電力の範囲内に収まるように、端部ヒータ２６も電力を抑えた形で点灯させ（最大点灯率３０％）、温度上昇速度の低下を抑えることが望ましい。
【００５０】
続いて、リロード後の点灯制御について説明する。図８ａに示すように、印刷対象の用紙サイズがＡ３超であれば、リロード前に最大点灯率１００％であった第１ハロゲンヒータ２３Ａ、第２ハロゲンヒータ２３Ｂの点灯率を、リロード後の時点で規制する（変更する）一方、端部ヒータ２６の点灯率を１００％（ジョブ確定後は９０％）に上げる。ハロゲンヒータ２３Ａ、２３Ｂは一定以上の温度（リロード温度以上）となっており、１００％の点灯率での加熱は必要ない。その分、温度が未達の端部ノビ部の温度を上げるために、端部ヒータ２６の点灯率を引き上げるのである。
【００５１】
一方、印刷対象の用紙サイズがＡ３以下であれば、図８ｂのように、リロード後から印刷動作開始前の期間で、所定の温度に到達するまで、端部ヒータ２６は表１に記載したリロード後の設定（最大点灯率１００％）で加熱を行い、印刷動作開始から点灯率を下げて加熱を行う（最大点灯率４０％）。このとき、第２ハロゲンヒータ２３Ｂに対応する領域から端部ノビ部へ熱が移動し、通紙領域端部の温度が低くならないように、規定された最大点灯率の範囲で目標温度に追従するように温度制御される。
【００５２】
次に、ウォームアップ動作以外での動作条件での制御を説明する。加熱開始時の各ベルト領域の温度が図９上側のそれぞれのグラフの縦軸上（時間ゼロ）であるような場合を考える。図９ａのように例えば前ジョブが小サイズ通紙であった場合、端部ヒータでの加熱は不要であり、ノビ部では中央域や側部域と比べてベルト温度が低い。そのため、この状態（前ジョブが小サイズ通紙）でＡ３超の用紙を通紙すると、ノビ部の定着ベルト温度が低く、定着不良が発生する虞がある。そこで、表２に示すように、第２ハロゲンヒータで加熱される側部の温度と印刷準備時の目標温度の差分値と、側部温度と端部ヒータで加熱されるノビ部の温度の差分値を印刷準備開始時点で判定し、必要に応じて、端部ヒータ（ノビヒータ）の点灯率を引き上げ、定着不良を防止する。
【００５３】
【表２】
0006673033.tif 000003
【００５４】
一方、例えば前ジョブが大サイズ通紙の場合、ベルト側部をカバーする第２ハロゲンヒータも高い点灯率で加熱され、熱移動補助部材を介した熱移動が相応にあるため、図９ｂに示すようにノビ部の温度は小サイズ通紙時よりも中央域や側部域の温度と近い温度となっており、小サイズの場合と比較しても少ない熱量で温度を上昇させることができる。この場合（前ジョブが大サイズ通紙でＡ３超用紙の通紙）、ノビ部の点灯率を下げて側部ヒータである第２ハロゲンヒータの点灯を優先させる（このとき、側部ヒータからの熱が、熱移動補助部材を介してノビ部まで移動するため、ノビ部の点灯率は高くする必要性が低い）。
【００５５】
なお、印刷動作時は、表１に示すように用紙サイズに応じて、各ヒータの最大点灯率を規定して動作させる。
【符号の説明】
【００５６】
１  画像形成装置
２  ボトル収容部
２Ｃ、２Ｋ、２Ｍ、２Ｙ  トナーボトル
３  転写装置
４Ｃ、４Ｋ、４Ｍ、４Ｙ  作像部
５  感光体
６  帯電装置
７  現像装置
８  クリーニング装置
９  露光装置
１０  給紙トレイ
１１  給紙ローラ
１２  レジストローラ
１３  排紙ローラ
１４  排紙トレイ
２０  定着装置
２１、６０  定着ベルト
２２  加圧ローラ
２３Ａ、２３Ｂ、５０Ａ、５０Ｂ  ハロゲンヒータ
２４  ニップ形成部材
２４ａ、２４ｂ  凹部
２４ｃ  面
２５  ステー部材
２５Ａ  第１部材
２５Ｂ  第２部材
２５ａ  起立部
２６ａ、２６ｂ  端部ヒータ
２７  熱移動補助部材
２７ａ  ニップ形成面
２８Ａ、２８Ｂ、７０  反射部材
２９  温度センサ
３０  中間転写ベルト
３１  一次転写ローラ
３２  二次転写バックアップローラ
３３  クリーニングバックアップローラ
３４  テンションローラ
３５  ベルトクリーニング装置
３６  二次転写ローラ
３７  発熱パターン
４１  分離部材
４０Ａ、４０Ｂ、４２ａ、４２ｂ  発熱部
４５ａ、４５ｂ  温度検知手段（接触式サーミスタ）
Ｂｃ、Ｂｈ  境界
Ｎ  定着ニップ
Ｐ  用紙
α、β  照射角
【先行技術文献】
【特許文献】
【００５７】
【特許文献１】特開２０１４−１７８３７０号公報
【図１】
0006673033.tif 000004
【図２】
0006673033.tif 000005
【図３】
0006673033.tif 000006
【図４】
0006673033.tif 000007
【図５】
0006673033.tif 000008
【図６】
0006673033.tif 000009
【図７】
0006673033.tif 000010
【図８】
0006673033.tif 000011
【図９】
0006673033.tif 000012